(57)【要約】【課題】家庭内のホームサーバに蓄積された情報を公衆網を介して外出先から容易に利用することができるサーバ装置を提供する。【解決手段】サーバ装置は、当該サーバ装置に接続するために必要な第１のパスワードを生成して、それを第２の記憶手段に記憶し、当該第１のパスワードと当該サーバ装置のアドレス情報を携帯端末へ送信する。当該携帯端末を介して前記アドレス情報と第２のパスワードを受け取った情報利用装置が、当該サーバ装置へ送信した第２のパスワードが第２の記憶手段に記憶されている第１のパスワードと一致するときには当該サーバ装置は当該情報利用装置に接続し、当該情報利用装置から送信された第２のパスワードが第２の記憶手段に記憶されている第１のパスワードと一致しないときに当該サーバ装置は当該情報利用装置からの接続を拒否する。【選択図】    図１
2004348236.tif 000002
【特許請求の範囲】
【請求項１】
各種情報を記憶する第１の記憶手段を有するサーバ装置と、当該サーバ装置から送信された当該サーバ装置に接続するために必要なアドレス情報を受信する携帯端末と、当該携帯端末から送信された前記アドレス情報を受信し、当該アドレス情報を用いて前記サーバ装置に接続し、前記第１の記憶手段に記憶された情報を利用する情報利用装置とからなるシステムにおける前記サーバ装置であって、
前記携帯端末からの要求に応じて、当該サーバ装置に接続するために必要な第１のパスワードを生成する手段と、
前記第１のパスワードを記憶する第２の記憶手段と、
前記第１のパスワードと、前記アドレス情報を前記携帯端末へ供給するために出力する出力手段と、
前記情報利用装置から前記アドレス情報と第２のパスワードを受信する受信手段と、
この受信手段で受信した前記第２のパスワードが前記第２の記憶手段に記憶されている前記第１のパスワードと一致するとき、当該情報利用装置に接続する接続手段と、
前記受信手段で受信した前記第２のパスワードが前記第２の記憶手段に記憶されている前記第１のパスワードと一致しないとき、当該情報利用装置からの接続を拒否する手段と、
を具備したことを特徴とするサーバ装置。
【請求項２】
各種情報を記憶する第１の記憶手段を有するサーバ装置と、当該サーバ装置から送信された当該サーバ装置に接続するために必要なアドレス情報を受信する携帯端末と、当該携帯端末から送信された前記アドレス情報を受信し、当該アドレス情報を用いて前記サーバ装置に接続し、前記第１の記憶手段に記憶された情報を利用する情報利用装置とからなるシステムにおける前記サーバ装置であって、
前記携帯端末からの要求に応じて、当該サーバ装置に接続するために必要な第１のパスワードを生成する手段と、
前記第１のパスワードを記憶する第２の記憶手段と、
前記第１のパスワードと、前記アドレス情報を前記携帯端末へ供給するために出力する出力手段と、
前記情報利用装置から前記アドレス情報と第２のパスワードを受信する受信手段と、
この受信手段で受信した前記第２のパスワードが前記第２の記憶手段に記憶されている前記第１のパスワードと一致するとき、当該第２の記憶手段が記憶していた当該第１のパスワードを削除する削除手段と、
前記受信手段で受信した前記第２のパスワードが前記第２の記憶手段に記憶されている前記第１のパスワードと一致するとき、当該情報利用装置に接続する接続手段と、
前記受信手段で受信した前記第２のパスワードが前記第２の記憶手段に記憶されている前記第１のパスワードと一致しないとき、当該情報利用装置からの接続を拒否する手段と、
を具備したことを特徴とするサーバ装置。
【請求項３】
各種情報を記憶する第１の記憶手段を有するサーバ装置と、当該サーバ装置から送信された当該サーバ装置に接続するために必要なアドレス情報を受信する携帯端末装置と、当該携帯端末装置から送信された前記アドレス情報を受信し、当該アドレス情報を用いて前記サーバ装置に接続し、前記第１の記憶手段に記憶された情報を利用する情報利用装置とからなるシステムにおける前記携帯端末装置であって、
前記サーバ装置に接続して当該サーバ装置のアドレス情報と、当該サーバ装置に接続するために必要なパスワードを受信する受信手段と、
この受信手段で受信した前記アドレス情報と前記パスワードを記憶する第２の記憶手段と、
前記情報利用装置に接続して、前記第２の記憶手段に記憶された前記アドレス情報と前記パスワードを当該情報利用装置に送信する送信手段と、
を具備したことを特徴とする携帯端末装置。
【請求項４】
各種情報を記憶する第１の記憶手段を有するサーバ装置と、当該サーバ装置から送信された当該サーバ装置に接続するために必要なアドレス情報を受信する携帯端末と、当該携帯端末から送信された前記アドレス情報を受信し、当該アドレス情報を用いて前記サーバ装置に接続し、前記第１の記憶手段に記憶された情報を利用する情報利用装置とからなるシステムにおける前記情報利用装置であって、
前記携帯端末から送信された、アドレス情報とパスワードを受信する第１の受信手段と、
この第１の受信手段で受信した前記アドレス情報に対応するサーバ装置へ前記第１の受信手段で受信した前記パスワードを送信する送信手段と、
前記アドレス情報に対応するとともに、前記送信手段で送信したパスワードを記憶する前記サーバ装置の前記記憶手段に記憶されている情報を受信する第２の受信手段と、
この第２の受信手段で受信した情報を利用する手段と、
を具備したことを特徴とする情報利用装置。
【請求項５】
前記第２の記憶手段は、前記第１のパスワードおよび当該第１のパスワードを利用するユーザの識別情報の組合せを記憶し、
前記出力手段は、前記アドレス情報，前記第２の記憶手段に記憶された前記第１のパスワードおよびユーザの識別情報を前記携帯端末へ供給するために出力し、
前記受信手段は、前記情報利用装置から前記アドレス情報、第２のパスワードおよびユーザ識別情報を受信し、
前記削除手段は、前記受信手段で受信した第２のパスワードおよびユーザ識別情報の組合せが、前記第２の記憶手段で記憶されている前記第１のパスワードおよび前記ユーザ識別情報の組合せと一致するとき、当該第２の記憶手段が記憶していた当該第１のパスワードおよび当該ユーザ識別情報の組合せを削除し、
前記接続手段は、前記受信手段で受信した第２のパスワードおよびユーザ識別情報の組合せが前記第２の記憶手段で記憶されている前記第１のパスワードおよび前記ユーザ識別情報の組合せと一致するとき、当該情報利用装置に接続することを特徴とする請求項２記載のサーバ装置。
【請求項６】
前記第１の受信手段は、前記携帯端末から送信された、前記アドレス情報と前記パスワードと当該パスワードを利用するユーザの識別情報を受信し、
前記送信手段は、前記パスワードとともに前記ユーザ識別情報を前記サーバ装置へ送信することを特徴とする請求項４記載の情報利用装置。
【請求項７】
各種情報を記憶する第１の記憶手段を有するサーバ装置と、当該サーバ装置から送信された当該サーバ装置に接続するために必要なアドレス情報を受信する携帯端末と、当該携帯端末から送信された前記アドレス情報を受信し、当該アドレス情報を用いて前記サーバ装置に接続し、前記第１の記憶手段に記憶された情報を利用する情報利用装置とからなるシステムにおける前記サーバ装置の有するコンピュータに実行させるプログラムであって、
前記携帯端末からの要求に応じて、当該サーバ装置に接続するために必要な第１のパスワードを生成する第１のステップと、
前記第１のパスワードを第２の記憶手段に記憶する第２のステップと、
前記第１のパスワードと当該サーバ装置のアドレス情報を前記携帯端末へ供給するために出力する第３のステップと、
前記情報利用装置から前記アドレス情報と第２のパスワードを受信する第４のステップと、
この第４のステップで受信した前記第２のパスワードが前記第２の記憶手段に記憶されている前記第１のパスワードと一致するとき、当該第２の記憶手段が記憶していた当該第１のパスワードを削除する第５のステップと、
前記第４のステップで受信した前記第２のパスワードが前記第２の記憶手段に記憶されている前記第１のパスワードと一致するとき、当該情報利用装置に接続する第６のステップと、
前記第４のステップで受信した前記第２のパスワードが前記第２の記憶手段に記憶されている前記第１のパスワードと一致しないとき、当該情報利用装置からの接続を拒否する第７のステップと、
を実行するプログラム。
【請求項８】
各種情報を記憶する第１の記憶手段を有するサーバ装置と、当該サーバ装置から送信された当該サーバ装置に接続するために必要なアドレス情報を受信する携帯端末装置と、当該携帯端末装置から送信された前記アドレス情報を受信し、当該アドレス情報を用いて前記サーバ装置に接続し、前記第１の記憶手段に記憶された情報を利用する情報利用装置とからなるシステムにおける前記携帯端末装置の有するコンピュータに実行させるプログラムであって、
前記サーバ装置に接続して当該サーバ装置のアドレス情報と、当該サーバ装置に接続するために必要なパスワードを受信する第１のステップと、
この第１のステップで受信した前記アドレス情報と前記パスワードを第２の記憶手段に記憶する第２のステップと、
前記情報利用装置に接続して、前記第２の記憶手段に記憶された前記アドレス情報と前記パスワードを当該情報利用装置に送信する第３のステップと、
を有するプログラム。
【発明の詳細な説明】
【０００１】
【発明の属する技術分野】
本発明はホームサーバを公衆網に接続して、当該ホームサーバに蓄積された情報を公衆網を介して利用するためのシステムに関する。
【０００２】
【従来の技術】
近年、ホームサーバと呼ばれる製品群が提供されるようになってきた。
【０００３】
初期段階では主としてテレビ放送をハードディスクに録画／蓄積する機能が特徴とされているが、さらに画像、テキストなど各種情報の蓄積や、家電製品群の制御／管理、ホームセキュリティの管理など多くの機能が搭載されるようになると考えられる。
【０００４】
また、ウェブブラウザなどによるインターネット上の情報の閲覧や、ネットバンキングなどのサービスを利用する機能も搭載されると考えられる。
【０００５】
しかしながら、これらは家庭内のネットワークに閉じた機能であるか、あるいは外部のサービスを利用するとしても従来のパーソナルコンピュータと同程度の機能でしかない。
【０００６】
外部のサービスとホームサーバをさらに密接に連携させることでより高度なサービスを提供することができるが、一般の利用者が当該アドレスを覚えておき、サービス提供装置に直接そのアドレスを指示することは難しい。毎日ホームサーバを立ち上げる度に、例えばＩＰアドレスが変わってしまうからである。
【０００７】
ホームサーバを公衆網に接続して外出先から当該ホームサーバに蓄積された情報を利用することができると便利である反面、ホームサーバが公衆網に接続されると、比較的容易に不正なユーザによりアクセス可能となる。個人所有のサーバの場合、セキュリティ面でコストをかけることはできないからである。
【０００８】
ホームサーバを利用するのは、当該ホームサーバの設置されている家の住人などの予め限られた者である必要がある。このために、予め利用が許されている者以外から当該ホームサーバへのアクセスを排除するための技術が存在する（例えば、特許文献１参照）。
【０００９】
【特許文献１】
特開２００２−８２９１０公報
【００１０】
【発明が解決しようとする課題】
このように、従来は、家庭内のホームサーバに蓄積された情報を公衆網を介して外出先から容易に利用することができないという問題があった。また、公衆網からの不正ユーザによるアクセスを容易に排除することができないという問題点があった。
【００１１】
そこで、本発明は、上記問題点に鑑み、家庭内のホームサーバに蓄積された情報を公衆網を介して外出先から容易に利用することができるサーバ装置、携帯端末装置、情報利用装置からなるシステムを提供することを目的とする。
【００１２】
また、公衆網からの不正ユーザによるアクセスを容易に排除することができるサーバ装置、携帯端末装置、情報利用装置からなるシステムを提供することを目的とする。
【００１３】
【課題を解決するための手段】
（１）本発明は、各種情報を記憶する第１の記憶手段を有するサーバ装置（ホームサーバ）と、当該サーバ装置から送信された当該サーバ装置に接続するために必要なアドレス情報を受信する携帯端末と、当該携帯端末から送信された前記アドレス情報を受信し、当該アドレス情報を用いて前記サーバ装置に接続し、前記第１の記憶手段に記憶された情報を利用する情報利用装置とからなるシステムであって、
前記情報利用装置が前記サーバ装置に接続する際に必要な当該サーバ装置のアドレス情報とパスワードは前記携帯端末を介して受け取り、そのために、前記サーバ装置は、前記端末装置からの要求に応じて前記携帯端末に送信する前記パスワードを生成して、それを第２の記憶手段に記憶するとともに、当該パスワードと当該サーバ装置のアドレス情報を当該携帯端末へ送信し、
前記携帯端末は、前記サーバ装置から送信された前記アドレス情報と前記パスワードを受信して記憶しておき、前記情報利用装置に接続したときに、当該アドレス情報とパスワードを当該情報利用装置へ送信する。
【００１４】
前記サーバ装置は、情報利用装置から接続要求を受けた場合、▲１▼当該情報利用装置から送信されたパスワードが前記第２の記憶手段に記憶されているとき、当該情報利用装置に接続し、▲２▼当該パスワードが前記第２の記憶手段に記憶されていないとき、当該情報利用装置からの接続を拒否する。
【００１５】
上記本発明によれば、家庭内のホームサーバに蓄積された情報を公衆網を介して外出先から容易に利用することができる。
【００１６】
さらに、前記サーバ装置は、情報利用装置から接続要求を受けた場合、当該情報利用装置から送信されたパスワードが前記第２の記憶手段に記憶されているとき、さらに、当該第２の記憶手段から当該パスワードを削除することにより、当該パスワードは１回しか使えないので、公衆網からの不正ユーザによる同じパスワードを用いたアクセスを容易に排除することができる。
【００１７】
（２）上記サーバ装置は、前記携帯端末からの要求に応じて、当該サーバ装置に接続するために必要な第１のパスワードを生成する手段と、前記第１のパスワードを記憶する第２の記憶手段と、前記第１のパスワードと、当該サーバ装置のアドレス情報を前記携帯端末へ送信する送信手段と、前記情報利用装置から前記アドレス情報と第２のパスワードを受信する受信手段と、この受信手段で受信した前記第２のパスワードが前記第２の記憶手段に記憶されている前記第１のパスワードと一致するとき、当該情報利用装置に接続する接続手段と、前記受信手段で受信した前記第２のパスワードが前記第２の記憶手段に記憶されている前記第１のパスワードと一致しないとき、当該情報利用装置からの接続を拒否する手段と、を有する。
【００１８】
好ましくは、前記サーバ装置は、前記受信手段で受信した前記第２のパスワードが前記第２の記憶手段に記憶されている前記第１のパスワードと一致するとき、当該第２の記憶手段が記憶していた当該第１のパスワードを削除する削除手段をさらに具備する。
【００１９】
（３）前記携帯端末は、前記サーバ装置に接続して当該サーバ装置のアドレス情報と、当該サーバ装置に接続するために必要なパスワードを受信する受信手段と、受信した前記アドレス情報と前記パスワードを記憶する第２の記憶手段と、前記情報利用装置に接続して、前記第２の記憶手段に記憶された前記アドレス情報と前記パスワードを当該情報利用装置に送信する送信手段と、前記サーバ装置に接続して当該サーバ装置のアドレス情報と、当該サーバ装置に接続するために必要なパスワードを受信する受信手段と、受信した前記アドレス情報と前記パスワードを記憶する第２の記憶手段と、前記情報利用装置に接続して、前記第２の記憶手段に記憶された前記アドレス情報と前記パスワードを当該情報利用装置に送信する送信手段と、を有する。
【００２０】
（４）前記情報利用装置は、前記携帯端末から送信された、アドレス情報とパスワードを受信する第１の受信手段と、この第１の受信手段で受信した前記アドレス情報に対応するサーバ装置へ前記第１の受信手段で受信した前記パスワードを送信する送信手段と、前記アドレス情報に対応するとともに、前記送信手段で送信したパスワードを記憶する前記サーバ装置の前記記憶手段に記憶されている情報を受信する第２の受信手段と、この第２の受信手段で受信した情報を利用する手段と、を有する。
【００２１】
【発明の実施の形態】
以下、本発明の実施形態について図面を参照して説明する。
【００２２】
（第１の実施形態）
第１の実施形態として、ここでは、ユーザが撮影し、ホームサーバに蓄積した映像情報を、コンビニエンスストアなどに設置された情報利用装置としてのＤＶＤ作成装置によって記録再生型ＤＶＤに記録するというサービスを提供するサービス提供システムについて説明する。ここでは、これをＤＶＤ作成サービスシステムと呼ぶことにする。
【００２３】
図１は、第１の実施形態に係るＤＶＤ作成サービスシステム全体の要部の構成例を示したもので、大きく分けて、ユーザ宅に設けられたホームサーバ１と、各ユーザにより携帯されるＰＤＡ（Ｐｅｒｓｏｎａｌ  Ｄｉｇｉｔａｌ  Ａｓｓｉｓｔａｎｔｓ）や携帯電話などの携帯端末２と、例えばコンビニエンスストアなどの予め定められた場所に設定されたＤＶＤ作成装置３とから構成されている。
【００２４】
このような構成のシステムにおいて、ユーザは、自身が所持する携帯端末２に、ホームサーバ１へ公衆網を通じて接続するために必要なアドレス情報やパスワードなどを予め格納して、コンビニエンスストアに赴き、この携帯端末２に格納されたアドレス情報やパスワードなどを用いて、ＤＶＤ作成装置３を自宅のホームサーバ１に接続して、当該ＤＶＤ作成装置３により、当該ホームサーバ１に蓄積された映像情報を利用するようになっている。
【００２５】
ＤＶＤ作成装置３がホームサーバ１に接続する際に必要なアドレス情報やパスワードなどは、携帯端末２に格納されたものを利用するため、ユーザは、ＤＶＤ作成装置３が自宅のホームサーバ１にアクセスする際に必要なアドレス情報やパスワードなどを一切覚えておく必要はない。ここではアドレス情報としてＩＰアドレスを例に説明を行うが、この他ＵＲＬ（Ｕｎｉｆｏｒｍ  Ｒｅｓｏｕｒｃｅ  Ｌｏｃａｔｏｒ）や電話番号等、ホームサーバ１に接続する際に必要なアドレスに関する情報であれば何であっても良い。  ユーザ宅に設置されているホームサーバ１は、各種映像機器などでユーザが撮影したあるいは録画した映像情報を蓄積する、例えば大容量ハードディスク（ＨＤＤ）装置で構成される映像情報蓄積部１１を有している。この映像情報蓄積部１１に蓄積された映像を用いたサービスを提供するものが、この第１の実施形態に係るＤＶＤ作成サービスシステムである。
【００２６】
ホームサーバ１は、第１の外部通信部１２と、第１の直接通信部１３と、パスワード記憶部１４と、パスワード発行部１５と接続情報管理部１６を有している。
【００２７】
第１の外部通信部１２は、例えばインターネットなどのホームネットワーク以外の公衆網上のネットワークを通じて、各種情報利用装置（サービス提供装置とも呼び、本実施形態では、ＤＶＤ作成装置３）と接続し、通信を行うためののものである。映像情報蓄積部１１に蓄積された映像情報は、第１の外部通信部１２によりＤＶＤ作成装置３へ送信される。ホームサーバ１と外部のサービス提供装置（本実施形態では、ＤＶＤ作成装置３）とがインターネットを経由して接続するためには、例えば、ＰＰＰ（ｐｏｉｎｔ−ｔｏ−ｐｏｉｎｔ  ｐｒｏｔｏｃｏｌ）などのプロトコルを用いてもよい。第１の外部通信部１２には、外部のサービス提供装置（本実施形態では、ＤＶＤ作成装置３）がホームサーバ１にアクセスするために必要なアドレス情報なども記憶する。
【００２８】
第１の直接通信部１０５は、例えば、取り外し可能なケーブルまたはＢｌｕｅｔｏｏｔｈなどの無線により近距離にある他の装置（例えば、ここでは、携帯端末２）と通信を行ない、第１の外部通信部１２から読み出したアドレス情報や、パスワード発行部１５で発行されたパスワード（ワンタイムパスワード）などをこの第１の直接通信部１０５から携帯端末２へ出力する。なお、ここでは、第１の直接通信部１０５は、通信を用いてアドレス情報やパスワードを携帯端末２へ提供するようになっているが、この場合に限らず、例えば、メモリカードなどの記録媒体を介して、これらを携帯端末２へ提供するようにしてもよい。  パスワード発行部１５は、外部のサービス提供装置（本実施形態では、ＤＶＤ作成装置３）がホームサーバ１にアクセスするために必要な１度のみ利用可能なパスワード（ワンタイムパスワード）を作成する。ここで作成されたワンタイムパスワードは、当該パスワードが利用されるまで、パスワード記憶部１４に記憶される。パスワード記憶部１４に記憶されたパスワードは、これが１回利用されると、パスワード記憶部１４から消去される。このように、パスワード作成部１５で作成されたパスワードは、それが情報利用装置から送信されて利用されると、その度にパスワード記憶部１４から削除されて、１回のみしか同じパスワードは利用できないので、ワンタイムパスワードと呼ぶ。また、このパスワードは、例えば、乱数発生器などの公知公用の技術を用いて、所定のビット数の数字例あるいは文字列あるいは、これらを組み合わせたパスワードを生成するようにしてもよい。なお、このパスワードの生成手法は、本発明の要旨ではないので説明は省略する。
【００２９】
携帯端末２は、ユーザが携帯する端末で、例えばＰＤＡあるいは携帯電話などである。本実施形態のサービス提供システムに適用するために、第２の直接通信部２１、第３の直接通信部２３、通信情報記憶部２２を有する。しかし、これら各構成部は、例えばＰＤＡあるいは携帯電話などに、もともと備わっているものを利用することができる。
【００３０】
第２の直接通信部２１は、ホームサーバ１の第１の直接通信部１３と、取り外し可能なケーブルまたはＢｌｕｅｔｏｏｔｈなどの近距離無線通信により接続し、第１の外部通信部１２への接続に必要な情報（例えば、アドレス情報とパスワード（ワンタイムパスワード））を受信するためのものである。
【００３１】
通信情報記憶部２２は、第２の直接通信部２１が受信したアドレス情報やワンタイムパスワードを記憶するもので、これは携帯端末２がもともと有するメモリなどの所定の記憶手段で構成されるものである。
【００３２】
第３の直接通信部２３は、取り外し可能なケーブルまたはＢｌｕｅｔｏｏｔｈなどの無線により近距離にある他の装置（例えば、ここではＤＶＤ作成装置３）と通信を行ない、通信情報記憶部２２に記憶されたアドレス情報やパスワードなどを送信する。
【００３３】
上記説明では、第２の直接通信部２１と第３の直接通信部１０９を、それぞれ別個の機能構成部として説明しているが、第２の直接通信部２１と第３の直接通信部１０９は、携帯端末２がもともと有する単一の有線あるいは無線の近距離用通信手段を用いればよい。
【００３４】
ＤＶＤ作成装置３は、例えば、コンビニエンスストアや電器店などに設置され不特定多数によって利用され、第４の直接通信部３１と、外部通信制御部３２と、第２の外部通信部３３と、映像情報記憶部３２と、ＤＶＤ作成部３５を有する。
【００３５】
第４の直接通信部３１は、ユーザが携帯している携帯端末２の第３の直接通信部２３と取り外し可能なケーブルまたはＢｌｕｅｔｏｏｔｈなどの近距離無線通信により接続し、ホームサーバ１（の第１の外部通信部１２）にアクセスするために必要な情報（アドレス情報やワンタイムパスワードなど）を携帯端末２から受信する。
【００３６】
外部通信制御部３２は、第４の直接通信部３１で受信したアドレス情報やワンタイムパスワードを一時記憶するとともに、これらを用いてホームサーバ１にアクセスするよう、第２の外部通信部３３を制御する。
【００３７】
第２の外部通信部３３は、外部通信制御部３２の制御によって、インターネットなどの公衆網上のネットワークを用いて、ユーザの家庭内にあるホームサーバ１（の第１の外部通信部１２）にアクセスして、その間に設定されたリンク（コネクション）を通じて、ホームサーバ１から送信された映像情報などを受信する。
【００３８】
映像情報記憶部３４は、第２の外部通信部３３で受信した（ホームサーバ１から送信された）映像情報を記憶する。
【００３９】
ＤＶＤ作成部３５は、映像情報記憶部３４に記憶された映像情報を読み出し、ＤＶＤ−Ｒなどの取り外し可能な録再型ＤＶＤディスクに記録し、ユーザに提供する。
【００４０】
次に、図１に示したＤＶＤ作成サービスシステムの動作について、図２〜図５を参照して説明する。
【００４１】
ホームサーバ１は、ユーザの家庭内に設置されていて、ユーザがビデオカメラで撮影した映像情報やテレビ放送を録画した映像情報を、図１には示していない映像入力手段から入力し、映像情報蓄積部１１に蓄積する。
【００４２】
ここでは、ユーザがデジタルビデオカメラによって撮影した映像情報が映像情報蓄積部１１に蓄積されており、ユーザは、この映像情報をＤＶＤ作成サービスシステムを利用してＤＶＤに記録しようとする場合を考える。
【００４３】
ユーザはまず、家庭内において携帯端末２の第２の直接通信部２１とホームサーバ１の第１の直接通信部１３とを、例えば取り外し可能なケーブルによって接続する。
【００４４】
図２は、ホームサーバ１と携帯端末２との間の処理動作を説明するためのフローチャートである。以下、図２を参照して、携帯端末２の第２の直接通信部２１をホームサーバ１の第１の直接通信部１３とに取り外し可能なケーブルによって接続したときのこれらの処理動作について説明する。
【００４５】
第１の直接通信部１３は、第２の直接通信部２１との接続を検知すると（ステップＳ１）。第１の直接通信部１３は第１の外部通信部１２と、パスワード発行部１５に対し、第２の直接通信部２１に送信すべき情報を要求する（ステップＳ２）。
【００４６】
なお、第１の直接通信部１３は、ホームサーバ１のアドレス情報やワンタイムパスワードを提供する相手を限定するために、これらアドレス情報やワンタイムパスワードを提供可能な、すなわち、ホームサーバ１に接続可能な携帯端末２の識別情報を予め登録されていてもよい。この登録は、例えば、当該ホームサーバ１のユーザにより行える。例えば、第１の直接通信部１３には、ホームサーバ１に接続可能な携帯端末２の識別情報を登録したテーブルが記憶されているものとする。そして、ステップＳ１で、第１の直接通信部１３は、第２の直接通信部２１との接続を検知したとき、さらに、当該第２の直接通信部２１から当該携帯端末２の識別情報を受信し、当該識別情報が上記テーブルに登録されているときにに、初めて上記ステップＳ２へ進む。当該識別情報が上記テーブルに登録されていないときには、例えば接続不可を意味するエラーメッセージを携帯端末２へ送信する。
【００４７】
第１の直接通信部１３からの要求を受け、第１の外部通信部１２は、自身に記憶されている、あるいは取得したアドレス情報としてのＩＰアドレス及びポート番号を第１の直接通信部３へ渡す（ステップＳ３、ステップＳ５）。
【００４８】
また、パスワード発行部１５は、予め設定された個数のワンタイムパスワード（例えば、１回の要求に対し予め定められた複数個のパスワード、あるいは１回の要求に対し１個のワンタイムパスワード）を生成して、それをパスワード記憶部１４に記憶するとともに、第１の直接通信部１２に渡す（ステップＳ４、ステップＳ５）。
【００４９】
第１の直接通信部１３は、第１の外部通信部１２とパスワード発行部１５のそれぞれから渡されたアドレス情報とワンタイムパスワードを、接続された携帯端末２の第２の直接通信部２１に送信する（ステップＳ６）。
【００５０】
携帯端末２では、第２の直接通信部部２１でアドレス情報及びワンタイムパスワードを受信すると（ステップＳ７）、これらを通信情報記憶部２２に記憶する（ステップＳ８）。
【００５１】
このようにして、携帯端末２にホームサーバ１のアドレス情報とワンタイムパスワードを通信情報記憶部２２記憶すると、ホームサーバ１もしくは携帯端末２は、その旨をユーザに対して通知を行なう。例えば、ホームサーバ１では、アドレス情報とワンタイムパスワードの送信を完了した旨のメッセージを所定のディスプレイに表示していもよい。また、携帯端末２は、上記情報を格納した旨のメッセージを所定のディスプレイに表示するようにしてもよい。このような通知を行うことにより、ユーザは、ホームサーバ１と携帯端末２とを接続しているケーブルを取り外すタイミングを知ることができる。ユーザがケーブルを取り外すことにより接続が解除される。
【００５２】
ユーザは、アドレス情報やパスワードを記憶した携帯端末２を持ち、ＤＶＤ作成装置３が設置されたコンビニエンスストアに移動する。
【００５３】
コンビニエンスストアに到着したユーザは、携帯している携帯端末２の第３の直接通信部２３とＤＶＤ作成装置２の第４の直接通信部３１とを例えば取り外し可能なケーブルによって接続する。
【００５４】
図３は、携帯端末２とＤＶＤ作成装置３との間の処理動作を説明するためのフローチャートである。以下、図３を参照して、携帯端末２がＤＶＤ作成装置３に接続したときのこれらの処理動作について説明する。
【００５５】
携帯端末２の第３の直接通信部２３は、ＤＶＤ作成装置３の第４の直接通信部３１との接続を検知すると（ステップＳ２１）、第３の直接通信部２３は、通信情報記憶部２２からアドレス情報及びワンタイムパスワードを読み出し（ステップＳ２２）、それらを第４の直接通信部３１に送信する（ステップＳ２３）。
【００５６】
ＤＶＤ作成装置３の第４の直接通信部３１、アドレス情報及びワンタイムパスワードを受信すると（ステップＳ２４）、それを外部通信制御部３２に記憶する  （ステップＳ２５）。
【００５７】
このとき、ワンタイムパスワードが複数個あれば外部通信制御部３２は、これら各ワンタイムパスワードをひとつずつ取り出せるようスタックに記憶する。
【００５８】
このようにして、ＤＶＤ作成装置３に、携帯端末２からアドレス情報とワンタイムパスワードを送り終えると、携帯端末２は、その旨をユーザに対し通知する。例えば、送信を完了した旨のメッセージを携帯端末２の所定のディスプレイに表示する。あるいは、ＤＶＤ作成装置１１０が、携帯端末２から受け取ったアドレス情報とワンタイムパスワードを記憶した旨をユーザに通知するようにしてもよい。例えば、上記情報を格納した旨のメッセージを所定のディスプレイに表示する。このような通知を行うことで、ユーザは、ＤＶＤ作成装置３と携帯端末２とを接続しているケーブルを取り外すタイミングを知ることができる。ユーザがケーブルを取り外すことにより接続が解除される。
【００５９】
次に、図４に示すフローチャートを参照して、ＤＶＤ作成装置３とホームサーバ１との間でリンクを確立する処理動作について説明する。
【００６０】
まず、ＤＶＤ作成装置３の外部通信制御部３２は、記憶したアドレス情報、すなわちＩＰアドレス及びポート番号を第２の外部通信部３３に送る（ステップＳ３１）。第２の外部通信部３３は、受け取ったＩＰアドレス及びポート番号に従い、インターネット上のホームサーバ１の第１の外部通信部１２へ一旦接続する。この接続は、後述するように、ＤＶＤ作成装置３から送信されるパスワードを基にホームサーバ１が当該ＤＶＤ作成装置３との接続を拒否する場合、あるいは、ＤＶＤ作成装置３自身がパスワードをホームサーバ１へ送信する事ができない場合には切断されるため、これをここでは仮接続と呼ぶ（ステップＳ３２）。
【００６１】
ＤＶＤ作成装置３からの接続要求を受けたホームサーバ１の第１の外部通信部１２は、ＤＶＤ作成装置３の第２の外部通信部３３に対してパスワードの送信を要求する（ステップＳ３３）。
【００６２】
パスワードの送信を要求されたＤＶＤ作成装置３の第２の外部通信部３３は、外部通信制御部３２にワンタイムパスワードを要求する（ステップＳ３４）。
【００６３】
外部通信制御部３２はスタックにワンタイムパスワードがあれば（ステップＳ３５）、そこから１つワンタイムパスワードを取り出して第２の外部通信部３３に送り（ステップＳ３６）、取り出したワンタイムパスワードを当該スタックから削除する（ステップＳ３７）。
【００６４】
第２の外部通信部３３は、外部通信制御部３２から受け取ったワンタイムパスワードを、ホームサーバ１の第１の外部通信部１２に送信する（ステップＳ３９）。
【００６５】
一方、ステップＳ３５において、ワンタイムパスワードが取り出せなかった場合、外部通信制御部３２は、第２の外部通信部３３を制御して第１の外部通信部１２への仮接続を切断し（ステップＳ３８）、ＤＶＤ作成装置３は、ユーザに対してパスワードが読み出せずに接続が失敗した旨を通知する（例えば、ホームサーバへの接続が失敗した旨のメッセージを所定のディスプレイに表示する）。
【００６６】
ホームサーバ１では、第１の外部通信部１２がワンタイムパスワードを受信すると（ステップＳ４０）、第１の外部通信部１２は、受信したワンタイムパスワードをパスワード記憶部１４に記憶されているかチェックする（ステップＳ４１）。すなわち、図２のステップＳ４において、パスワード記憶部１４に記憶された複数個のワンタイムパスワードのなかに、受け取ったワンタイムパスワードに一致するものがあるか調べる。一致するものがあれば、第１の外部通信部１２は、パスワード記憶部１４から当該ワンタイムパスワードを削除するとともに（ステップＳ４２）、ＤＶＤ作成装置３との間の現在の接続状態を継続させる。すなわち、現在の仮接続状態を本接続とする（ステップＳ４３）。
【００６７】
一方、ステップＳ４１において、パスワード記憶部１４に記憶された複数個のワンタイムパスワードのなかに、受け取ったワンタイムパスワードに一致するものがないときは、第１の外部通信部１２は、ＤＶＤ作成装置３からの接続を拒否し、仮接続を解除する。すなわち、ホームサーバ１とＤＶＤ作成装置３との間の接続を切断する（ステップＳ３８）。
【００６８】
このようにして、ホームサーバ１とＤＶＤ作成装置３との間の通信のためのリンクが確立（ステップＳ４３）あるいは切断（ステップＳ３８）されると、この旨が、現在ＤＶＤ作成装置３側にいるユーザに対して通知される。例えば、ＤＶＤ作成装置３がホームサーバ１と接続した旨あるいは接続に失敗した旨のメッセージを所定のディスプレイに表示する。
【００６９】
ＤＶＤ作成装置３が、ホームサーバ１との接続に失敗した旨が通知されると、ユーザは、ＤＶＤ作成サービスの利用を諦めることになる。
【００７０】
以下、ＤＶＤ作成装置３が、ホームサーバ１に接続した後の、ＤＶＤ作成装置３とホームサーバ１との処理動作いついて、図５に示すフローチャートを参照して説明する。
【００７１】
図５では、ＤＶＤ作成装置１がホームサーバ１から映像情報を受信してＤＶＤを作成する処理動作を示している。
【００７２】
ホームサーバ１は、ＤＶＤ作成装置３に接続されると、まず、映像情報蓄積部１１に蓄積されている（選択可能な）映像情報のリストをＤＶＤ作成装置３へ送信する。このリストが、例えばＤＶＤ作成装置３の所定のディスプレイに表示されると、ユーザは、この中から所望の映像情報を選択する（ステップＳ５１）。
【００７３】
第２の外部通信部３３は、選択された映像情報の送信を、ホームサーバ１の第１の外部通信部１２へ要求する（ステップＳ５２）。
【００７４】
なお、映像情報の選択は、この場合に限らず、ユーザが予め家庭内においてホームサーバ１を直接操作して映像情報を選択しておき、この予め選択された映像情報の識別情報などが、ステップＳ５１において、ホームサーバ１からＤＶＤ作成装置３に送られてきてもよい。この場合、この識別情報が所定のディスプレイに表示されて、ユーザが映像情報を確認した後に、ステップＳ５２において、当該映像情報の送信要求がホームサーバ１へ送信される。
【００７５】
ホームサーバ１の第１の外部通信部１２では当該映像情報の送信要求を受信すると、当該要求された映像情報を映像情報蓄積部１１から読み出す（ステップＳ５３）。
【００７６】
このとき、家庭内の別の利用者により指定された映像情報が映像情報蓄積部１１から削除されていたなどの理由により、映像情報の読み出しが正しく行われなかった場合には、第１の外部通信部１２は、ＤＶＤ作成装置３の第２の外部通信部３３に対してエラーの発生を通知する（ステップＳ５４）。
【００７７】
エラーの発生を通知された場合、ＤＶＤ作成装置３の第２の外部通信部３３は、ホームサーバ１の第１の外部通信部１２との接続を切断し、エラーが発生し通信が切断された旨のメッセージを所定のディスプレイに表示するなどして、ユーザにこの旨を通知する（ステップＳ５５）。
【００７８】
ステップＳ５３において、指定された映像情報の読み出しが行えたとする。すると、第１の外部通信部１２は、読み出した映像情報をＤＶＤ作成装置３の第２の外部通信部３３に送信する（ステップＳ５６）。
【００７９】
ＤＶＤ作成装置３の第２の外部通信部３３は映像情報を受信すると（ステップＳ５７）、これを映像情報記憶部３４に記憶する（ステップＳ５８）。
【００８０】
ＤＶＤ作成部３５は、映像情報記憶部３４に記憶された映像情報を読み出し（ステップＳ５９）、これをＤＶＤ−Ｒなどの録再型ＤＶＤディスクに記録する（ステップＳ６０）。
【００８１】
ＤＶＤディスクへの記録は、映像情報が全て映像情報記憶部３４へ記憶されてから開始していもよいし、映像情報記憶部３４に記憶された映像情報を順次記録していくのでもよい。
【００８２】
また映像情報の形式により、録再型ＤＶＤディスクに記録するためには、映像情報をＭＰＥＧ２などの形式に変換する必要のある場合もあるが、この変換については公知公用の技術を用いればよく、また、本発明の要旨ではないので、説明は省略する。
【００８３】
ＤＶＤ作成部３５によるＤＶＤディスクへの映像情報の記録が完了すると、ＤＶＤ作成装置３は、映像情報の記録が完了した旨を所定のディスプレイに表示するなどしてこの旨をユーザに通知する。
【００８４】
以上のようにして、ユーザはホームサーバ１に蓄積された所望の映像情報をＤＶＤ作成装置３によってＤＶＤに記録することができる。すなわち、ユーザは、デジタルビデオカメラによって撮影し、ホームサーバ１に蓄積した映像情報を、ホームサーバのアドレス情報やパスワード情報などを明示的に扱うことなく、また、大容量の映像情報をリムーバルディスクなどにコピーして持ち運ぶことなく、外出先のＤＶＤ作成装置３によってＤＶＤに記録することができる。
【００８５】
（第２の実施形態）
次に本発明の第２の実施形態として、ホームサーバ１に、ユーザが所有する衣類の情報を蓄積し、ユーザが衣類を購入するたびに、この購入した衣類に関する情報を購入先の店舗から自宅ホームサーバ１に送って蓄積するサービス提供システムについて説明する。すなわち、ここでは、ホームサーバ１は、ユーザが所有する衣類の情報を蓄積するクローゼット情報蓄積部１７を有し、ホームサーバ１に蓄積されている情報を利用する情報利用装置として、第１の実施形態で用いたＤＶＤ作成装置３の代わりに、衣料商品情報管理装置４を用いたクローゼット管理サービスシステムについて説明する。
【００８６】
クローゼット管理サービスシステムは、衣料用品店に設置された衣料商品情報管理装置４によって、ユーザが購入した衣料品を試着した際の画像データを記録し、当該画像データに、その衣料品に関するサイズ、色、価格などの情報を付加してユーザの自宅のホームサーバ１に送信して蓄積するものである。また、ユーザは、衣料用品店に設置された衣料商品情報管理装置４を操作し、自宅のホームサーバ１に蓄積された衣料品情報にアクセスすることができる。
【００８７】
図６は、第２の実施形態に係るクローゼット管理サービスシステム全体の要部の構成例を示したものである。なお、図６において、図１と同一部分には同一符号を付し、異なる部分についてのみ説明する。
【００８８】
ホームサーバ１に蓄積される情報のうち、ここでは、ユーザのクローゼット情報（ユーザが所持する衣類に関する情報）を蓄積するクローゼット情報蓄積部１７を利用して、ここに蓄積されている情報をユーザの外出先の店舗に設置された衣料商品情報管理装置４から閲覧可能にするとともに、衣類を購入した場合には、当該購入した衣類に関する情報を当該店舗に設置された衣料商品情報管理装置４からホームサーバ１へ送り蓄積するようになっている。このためのホームサーバ１や携帯端末２の主要部の構成は、図１とほぼ同様である。また、第２の実施形態では、ホームサーバ１には、ユーザ管理部１８が追加されている。
【００８９】
この第２の実施形態では、ホームサーバ１が有する、クローゼット情報蓄積部１７を対象としているが、ホームサーバ１は、クローゼット情報蓄積部１７以外にも、第１の実施形態で説明したような映像情報蓄積部１１やそれ以外の各種情報蓄積部を有している。また、ホームサーバ１は、基本的には、当該ホームサーバ１の設けられている家庭内の人々が利用するものであり、ホームサーバ１内に蓄積された情報を利用可能な者は、これら家庭内の人々に限定される。また、ホームサーバ１には、人によっては、あるいは、その情報の種類によっては、他の人には見られたくない、個人で楽しむための情報もある。
【００９０】
そこで、ユーザ管理部１８に、当該ホームサーバ１を利用可能なユーザ（の識別情報）を予め登録しておき、これらの者以外からのアクセスを受け付けないようにすることができる。
【００９１】
例えば、ユーザ管理部１８は、図８に示すように、テーブル形式で、当該ホームサーバ１を利用可能なユーザの識別情報（例えば、当該ホームサーバ１が設置されている家庭のメンバの識別情報（ユーザ名やユーザＩＤなど））を記憶する。
【００９２】
そして、図２のステップＳ４では、作成した（発行した）ワンタイムパスワードを、図９に示すようにユーザ識別情報（ユーザ識別子）に対応付けて記憶する。この際、発行したワンタイムパスワードの発行日時も記憶するようにしてもよい。例えば、この発行日時から所定時間経過したにもかかわらず、利用されなかったパスワード（発行日時から所定時間経過したにもかかわらずパスワード記憶部１４に依然記憶されているパスワード）は、当該所定時間経過後に利用されたとしても無効とするなどの処理が可能となる。
【００９３】
衣料商品情報管理部４の要部構成は、図１のＤＶＤ作成装置３と同様であり、異なるのは、衣料商品情報管理部４では、ＤＶＤ作成装置の映像情報記憶部３４とＤＶＤ作成部３５に代わり、衣料品情報提示部４４と衣料商品情報蓄積部４５を有している点である。
【００９４】
ホームサーバ１のクローゼット情報蓄積部１７は、ユーザが所持する衣料品の画像、サイズ、色、価格などの情報を蓄積する。これらの情報は、後述する外部の衣料商品情報管理装置４からネットワークを経由して入力される。またホームサーバ１に含まれる、入力手段（図６では図示していない）によってユーザ自身が入力してもよい。例えば、ユーザは、従来から所持していた衣料品や、衣料商品情報管理装置４が設置されていない店舗で購入した衣料品に関する、当該衣料の画像、色、価格、購入店などの情報を、図６には示していないデジタルスチルカメラなどの画像入力手段とキーボードなどの文字情報入力手段によって入力し、クローゼット情報蓄積部１７に蓄積する。
【００９５】
また、クローゼット情報蓄積部１７は、後述する手順によって衣料商品情報管理装置４から送信された衣料用品情報も蓄積する。
【００９６】
クローゼット情報蓄積部１７に蓄積されているクローゼット情報の例を図７（ａ）〜（ｃ）に示す。このように、１つの衣料品情報は、当該衣料品の画像と、品名、サイズ、色、購入店、価格、購入日などの情報からなる。
【００９７】
衣料商品情報管理装置４から送信された衣料用品情報（商品情報）も、図７（ａ）〜（ｃ）に示した情報を含む。
【００９８】
ホームサーバ１を構成する上記クローゼット情報蓄積部１７以外の構成部、すなわち、第１の外部通信部１２、第１の直接通信部１３、パスワード記憶部１４，パスワード発行部１５は、それぞれ第１の実施形態の場合と同様である。
【００９９】
携帯端末２は、図１の携帯端末２と同様である。
【０１００】
衣料商品情報管理装置４は、衣料用品店に設置されており、第４の直接通信部３１、外部通信制御部３２、第２の外部通信部３３は、それぞれ第１の実施形態の場合と同様である。
【０１０１】
衣料商品情報蓄積部４５には、当該衣料商品情報管理装置４が設置されている衣料用品店が扱う各商品の画像サイズ色価格などの情報を蓄積している。衣料商品情報蓄積部４５に蓄積されている各商品情報も図７（ａ）〜（ｃ）に示したような情報を含む。
【０１０２】
衣料品情報提示部４４は、衣料商品情報蓄積部４５に蓄積された各商品情報や、後述する手順により、ホームサーバ１から送信されてきたクローゼット情報を提示するようになっている。
【０１０３】
次に、このクローゼット管理サービスシステムの動作について具体的に説明する。ここでは、クローゼット情報蓄積部１７に図７に示したようなクローゼット情報が既に蓄積された状態で、ユーザが衣料品店に赴いて新たな衣料品を購入する場合を考える。
【０１０４】
ユーザは、所持する携帯端末２にホームサーバ１のアドレス情報とワンタイムパスワードを格納するが、その際のホームサーバ１と携帯端末２の処理動作を、図１１に示す。なお、図２と同一部分には同一符号を付し、異なる部分についてのみ説明する。すなわち、第２の実施形態では、ユーザ管理部１８が設けられているため、図１１において、ホームサーバ１を起動した際には、ユーザは、まず、ホームサーバ１に自身のユーザ識別情報を入力する。
【０１０５】
ホームサーバ１は、入力されたユーザ識別情報がユーザ管理部１８に予め記憶されているユーザ識別情報のなかにあるかをチェックし、入力されたユーザ識別情報がユーザ管理部１８に記憶されているときは、当該ユーザは、ホームサーバ１を利用可能なユーザであると判断して、図１１に示したような動作を開始する。
【０１０６】
図１１において図２と異なる点は、図２のステップＳ４、ステップＳ５、ステップＳ７、ステップＳ８が、図１１ではステップＳ４´、ステップＳ５´、ステップＳ７´、ステップＳ８´に置き換わり、ステップＳ４´では、前述したように、生成したワンタイムパスワードを図９に示すようにユーザ識別情報に対応付けて記憶する。そして、ステップＳ５´では、アドレス情報やワンタイムパスワード、さらにユーザ識別子を当該ユーザの携帯端末２へ送信する。ステップＳ７´において、携帯端末２がホームサーバ１から送信されたアドレス情報やワンタイムパスワード、ユーザ識別子を受信すると、ステップＳ８´では、これらを通信情報記憶部２２に記憶する。一方、入力されたユーザ識別情報がユーザ管理部１８に記憶されていないときは、図２に示した処理動作は実行しない。
【０１０７】
ユーザは、アドレス情報とワンタイムパスワードとユーザ識別子を格納した携帯端末２を持って、衣料商品情報管理装置４が設置された衣料用品店に移動する。
【０１０８】
衣料用品店に到着したユーザは、携帯している携帯端末２の第３の直接通信部２３と、衣料商品情報管理装置４の第４の直接通信手段３１を取り外し可能なケーブルによって接続する。この後、携帯端末２から衣料商品情報管理装置４へ、アドレス情報やワンタイムパスワードを送信する処理動作を図１２に示す。なお、図１２において図３と同一部分には同一符号を付し、異なる部分についてのみ説明する。すなわち、図１２において図３と異なる点は、図３のステップＳ２２、ステップＳ２３、ステップＳ２４、ステップＳ２５が、図１２ではステップＳ２２´、ステップＳ２３´、ステップＳ２４´、ステップＳ２５´に置き換わっている。ステップＳ２２´では、携帯端末２は、通信情報記憶部２２からアドレス情報とワンタイムパスワードの他に、さらにユーザ識別子を読み出し、ステップＳ２３´では、これらを衣料商品情報管理部４へ送信する。衣料商品情報管理部４では、ステップＳ２４´においてアドレス情報とワンタイムパスワードとユーザ識別子を受信して、ステップＳ２５´において、これらを外部通信制御部３２に記憶する。
【０１０９】
この後の、ホームサーバ１と衣料商品情報管理装置４との間の通信のためのリンクを確立するための処理動作も、図４とほぼ同様であり、これを図１３に示す。なお、図１３において、図４と同一部分には同一符号を付し、異なる部分についてのみ説明する。すなわち、図１３において図４と異なる点は、図４のステップＳ３６、ステップＳ３９、ステップＳ４０、ステップＳ４１が、図１３ではステップＳ３６´、ステップＳ３９´、ステップＳ４０´、ステップＳ４１´に置き換わっている。ステップＳ３６´では、衣料商品情報管理装置４は、外部通信制御部３２からワンタイムパスワードとユーザ識別子を読み出し、ステップＳ３７において、読み出されたワンタイムパスワードを外部通信制御部３２から削除すると、ステップＳ３９´において、ワンタイムパスワードとユーザ識別子をホームサーバ１へ送信する。ホームサーバ１では、ステップＳ４０´において、パスワードとユーザ識別子を受信すると、ステップＳ４１´において、パスワード記憶部１４に、受信したユーザ識別子とパスワードの組合せが記憶されているかチェックする。ここで上記組合せが記憶されていないとき（ユーザ識別情報とパスワードのうちの少なくとも１つがユーザ管理部１８に記憶されていないとき）は、仮接続を切断するが、記憶されているときには、図４と同様に、パスワード記憶部１４から、当該受信したワンタイムパスワードを削除する。
【０１１０】
図１３に従って、ホームサーバ１と衣料商品情報管理装置４との間に、通信のためのリンクが確立されると、あるいは切断されると、衣料商品情報管理装置４は、ユーザにこの旨を前述同様にして通知する。
【０１１１】
衣料商品情報管理装置４がホームサーバ１との接続に失敗した場合には、この旨を通知されたユーザは、クローゼット管理サービスの利用を諦めることになるが、ここではステップＳ４３において、衣料商品情報管理装置４がホームサーバ１との接続した場合について説明する。
【０１１２】
ホームサーバ１と衣料商品情報管理装置４が接続すると、ユーザは、衣料商品情報管理装置４を操作することにより、衣料品情報提示部４４から、ユーザの自宅にあるホームサーバ１のクローゼット情報蓄積部１７に蓄積された、自身が所持する衣料品の情報を閲覧することができる。例えば衣料商品情報管理装置４がホームサーバ１からクローゼット情報蓄積部１７に蓄積されているクローゼット情報のリストを取得し、これを衣料品情報提示部４４に提示することにより、ユーザの自宅にあるホームサーバ１のクローゼット情報蓄積部１７に蓄積されたクローゼット情報を店舗から閲覧する。また、図６には図示していないが、衣料商品情報管理装置４には、色や購入店などを検索条件として入力すると、当該検索条件として指定された色や購入店を含むクローゼット情報をクローゼット情報蓄積部１７から検索して、この検索結果を衣料品情報提示部４４に提示するようにしてもよい。
【０１１３】
ユーザが衣料品を購入した場合、店員の指示により衣料商品情報管理装置４はユーザが購入した衣料の商品情報を当該ユーザのホームサーバ１に送信する。
【０１１４】
ここで送信される衣料の商品情報は、図７に示した情報と同様の形式の情報である。予め衣料商品情報蓄積部４５に蓄積されていた商品情報そのものであってもよいし、図６には示さないデジタルスチルカメラなどの画像入力手段によってユーザがその商品を試着した様子を撮影した画像情報と共に送信するのでもよい。
【０１１５】
また、上記第２の実施形態では、衣料商品情報管理装置４内のデータをホームサーバ１に送信しているが、逆に、衣料商品情報管理装置４内のデータが一定時間内だけデータ保存されていて、このデータをホームサーバ１からワンタイムパスワードで取得しても良い。この場合は、衣料商品情報管理装置４がワンタイムパスワードを発行し、アドレス情報などと共に接続されている携帯端末２に送信してから接続を解除し、ユーザが自宅に戻った後に、携帯端末２とホームサーバ１を接続することによって衣料商品情報管理装置４のアドレス情報とワンタイムパスワードをホームサーバ１に送信して、これらの情報を利用してホームサーバ１が衣料商品情報管理装置４にアクセスすることになる。
【０１１６】
なお、ホームサーバ１から携帯端末２へ送信するユーザ識別子は、ユーザ管理部１８が記憶するユーザ識別情報である必要はなく、例えば、パスワード発行部１５でパスワードを発行するたび、ユーザ管理部１８が、新たに作成するユーザ識別子であってもよい。この場合、ユーザ管理部１８は、既に登録されているユーザ識別子に、新たに作成されたユーザ識別子を対応付けて登録する。以後の処理では、この新たに作成されたユーザ識別子を用いて、図１１から図１３に示した処理動作を行う。
【０１１７】
ユーザ管理部１８を設けることで、予め登録されたユーザにのみホームサーバ１へのアクセスを可能にし、しかも、上記第１、第２の実施形態で説明したような情報提供サービスを利用するユーザを限定することができる。
【０１１８】
また、ホームサーバ１に蓄積されている情報に対し、予め、当該情報へアクセス可能なユーザを限定することもできる。例えば、図１０に示すように、情報ファイル毎に当該ファイルにアクセス可能な者を予め設定しておくようにしてもよい。また、記憶領域単位に、当該記憶領域に記憶された複数の情報に対しまとめて、アクセス可能な者を予め設定してもよい。例えば、第２の実施形態で用いたクローゼット情報蓄積部１７に蓄積されている情報を利用するのは、「山田花子」１人であり、それ以外の家族の者にはアクセスしてほしくないときには、当該クローゼット情報蓄積部１７に対し、アクセス可能な者として「山田花子」のみを予め設定するようにしてもよい。
【０１１９】
なお、図１０に示したような情報へのアクセス可能なユーザを登録したテーブルは、ユーザ管理部１８に記憶する。
【０１２０】
そして、図５のステップＳ５１において、ホームサーバ１からサービス提供装置へ情報のリストを送信する際には、図４のステップＳ３９において予め通知されたユーザ識別情報とユーザ管理部１８に記憶されている図１０に示したようなテーブルを基に、当該ユーザがアクセス可能な情報についてのリストを作成して、それをサービス提供装置へ送信する。また、サービス提供装置に検索手段が設けられているきには、当該ユーザがアクセス可能な情報のなかから指定された検索条件を満たす情報を検索する。
【０１２１】
ユーザ管理部１８に、ホームサーバ１に蓄積された情報に対し、予め指定されたユーザ以外であっても閲覧は可能だが、削除／更新は不可にしたり、同じ情報が異なるサービス提供システムで利用可能なときには、サービス提供システムの種類と利用するユーザに応じて、利用の可否を設定するなどして、ホームサーバ１と携帯端末２との間と携帯端末２とサービス提供装置との間で、アドレス情報やパスワード以外にもユーザ識別情報や、サービス提供システムの識別情報などを用いることで、よりきめ細かなホームサーバ１へのアクセス制御を行うことができる。
【０１２２】
以上、本発明のサービス提供システムとして、ＤＶＤ作成サービスシステムとクローゼット管理サービスシステムの例を示したが、もちろん本発明はこれら２つのサービスシステムに限定されるものではなく、ホームサーバ１に蓄積されている情報の種類と、その利用方法に応じたサービス提供装置を設けることにより、上記実施形態以外のサービス提供システムを実現することが可能である。どのようなサービス提供システムであろうと、図２〜図４、図１１〜図１３に示した、ホームサーバ１と携帯端末２との間の処理動作、携帯端末２とサービス提供装置との間の処理動作、サービス提供装置とホームサーバ１との間の処理動作は共通である。
【０１２３】
このように、上記第１，第２の実施形態によれば、ホームサーバ１のアドレス情報や、ホームサーバ１に接続する際に必要な当該ホームサーバ１で生成されたパスワードを予め携帯端末２へ記憶させて、ユーザの外出先に設置されている情報利用装置（サービス提供装置であって、ＤＶＤ作成装置３や衣料商品情報管理装置４）に当該携帯端末２を接続して、当該携帯端末２を介してアドレス情報やパスワードを情報利用装置に入力する。従って、ユーザは、ホームサーバのアドレス情報やパスワード情報などを明示的に扱うことなく、公衆網を介してホームサーバ１にアクセスすることができる。
【０１２４】
また、情報利用装置がホームサーバ１に接続する際には、ホームサーバ１では、情報利用装置から送信されるパスワードを用いて、この正当性を確認するようになっているが、このパスワードは、ホームサーバ１自身が作成したものであり、しかも１度しか利用することのできないワンタイムパスワードである。情報利用装置から送信されるパスワードが、ホームサーバ１において、当該ホームサーバ１にて生成されて、今だ利用されていないパスワードであることが確認されたとき、情報利用装置は、ホームサーバ１に接続することができるのである。
【０１２５】
上記実施形態では、ホームサーバ１にて生成されるワンタイムパスワードを用いることで、公衆網からの不正ユーザによるアクセスを容易に排除することができる。
【０１２６】
さらに、上記ワンタイムパスワードとユーザ識別子とを組み合わせて、情報利用装置から送信されるパスワードとユーザ識別子の組合せが、ホームサーバ１に予め記憶してあるときのみ、当該情報利用装置とホームサーバ１とが接続することができるので、ホームサーバ１へアクセスする不正ユーザをより厳密に排除することができる。
【０１２７】
このように、上記実施形態によれば、ユーザに対してホームサーバのアドレス情報やパスワード情報などを明示的に扱わせることなく、ホームサーバと外部の公共／商用サービスを密接に連携したより高度なサービスを提供することができる。
【０１２８】
本発明の実施の形態に記載した本発明の手法（図２〜図５、図１１〜図１３に記載したホームサーバ１、携帯端末２、ＤＶＤ作成３や衣料商品情報管理装置４などの情報利用装置（サービス提供装置）の処理）は、ホームサーバ１、携帯端末２、ＤＶＤ作成３や衣料商品情報管理装置４などの情報利用装置（サービス提供装置）の有するコンピュータに実行させることのできるプログラムとして、磁気ディスク（フレキシブルディスク、ハードディスクなど）、光ディスク（ＣＤ−ＲＯＭ、ＤＶＤなど）、半導体メモリなどの記録媒体に格納して頒布することもできる。
【０１２９】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【０１３０】
【発明の効果】
以上説明したように、本発明によれば、家庭内のホームサーバに蓄積された情報を公衆網を介して外出先から容易に利用することができる。
【図面の簡単な説明】
【図１】本発明の第１の実施形態に係るサービス提供システムの要部の構成例を示した図。
【図２】図１のサービス提供システムの処理動作を説明するためのフローチャート。
【図３】図１のサービス提供システムの処理動作を説明するためのフローチャート。
【図４】図１のサービス提供システムの処理動作を説明するためのフローチャート。
【図５】図１のサービス提供システムの処理動作を説明するためのフローチャート。
【図６】本発明の第２の実施形態に係るサービス提供システムの要部の構成例を示した図。
【図７】クローゼット情報蓄積部に蓄積されているクローゼット情報の具体例を示した図。
【図８】ユーザ管理部に記憶されている情報の一例を示した図。
【図９】パスワード管理部におけるパスワードとユーザ識別情報の記憶例を示した図。
【図１０】ホームサーバに蓄積された情報に利用可能なユーザを設定する場合のユーザ管理部における記憶される情報の一例を示した図。
【図１１】図６のサービス提供システムの処理動作を説明するためのフローチャート。
【図１２】図６のサービス提供システムの処理動作を説明するためのフローチャート。
【図１３】図６のサービス提供システムの処理動作を説明するためのフローチャート。
【符号の説明】
１…ホームサーバ、２…携帯端末、３…ＤＶＤ作成装置、４…衣料商品情報管理装置、１１…映像情報蓄積部、１２…第１の外部通信部、１３…第１の直接通信部、１４…パスワード記憶部、１５…パスワード発行部、１７…クローゼット情報蓄積部、１８…ユーザ管理部、２１…第２の直接通信部、２２…通信情報記憶部、２３…第３の直接通信部、３１…第４の直接通信部、３２…外部通信制御部、３３…第２の外部通信制御部、３４…映像情報記憶部、３５…ＤＶＤ作成部、４４…衣料品情報提示部、４５…衣料商品情報蓄積部。
【図１】
2004348236.tif 000003
【図２】
2004348236.tif 000004
【図３】
2004348236.tif 000005
【図４】
2004348236.tif 000006
【図５】
2004348236.tif 000007
【図６】
2004348236.tif 000008
【図７】
2004348236.tif 000009
【図８】
2004348236.tif 000010
【図９】
2004348236.tif 000011
【図１０】
2004348236.tif 000012
【図１１】
2004348236.tif 000013
【図１２】
2004348236.tif 000014
【図１３】
2004348236.tif 000015